【事件の表示】
　特願２００２−　９４０４５「印刷用塗工紙」拒絶査定不服審判事件〔平成１４年１２月１８日出願公開、特開２００２−３６３８８９、請求項の数（１）〕について、次のとおり審決する。
【結　論】
　原査定を取り消す。
　本願の発明は、特許すべきものとする。
【理　由】
１　手続の経緯 
　本願は、特許法第４１条に基づく優先権主張を伴う平成１４年３月２９日（優先日：平成１３年３月３０日、出願番号：特願２００１−１０２６８９号）の出願であって、平成２０年６月４日付けで拒絶査定がなされ、これに対し、平成２０年７月１０日に拒絶査定を不服として審判請求がなされ、同年８月１１日付けで手続補正がなされたものである。 
　 
　 
２　本願発明 
　本願の特許請求の範囲の請求項１に係る発明（以下、「本願発明」という。）は、平成２０年８月１１日付け手続補正書によって補正された明細書及び図面の記載からみて、その特許請求の範囲の請求項１に記載された次のとおりのものであると認められる。 
　 
　「原紙上に顔料と接着剤を含有する塗工層を設けた顔料塗工層上に、ガラス転移温度が８０℃以上の熱可塑性重合体と表面サイズ剤を有する表面層を設けた印刷用塗工紙であって、前記熱可塑性重合体と表面サイズ剤が表面層の固形分で７０〜１００重量％含有するものであり、表面サイズ剤がスチレン・アクリル系、オレフィン系、またはスチレン・マレイン酸系の共重合体の少なくとも一つから選択されたものであり、原紙中に多価アルコールと脂肪酸のエステル化合物を含有することを特徴とする印刷用塗工紙。」 
　 
　 
３　引用発明 
　これに対して、原査定における拒絶の理由に引用された、本願の優先日前に頒布された刊行物である特開平３−１６７３９６号公報（以下、「引用例１」という。）及び特開２０００−２３４２９２号公報（以下、「引用例２」という。）には、以下の事項及び各引用発明が記載されている。 
　 
［引用例１について］ 
（１）「（１）支持体上に顔料塗工層を設けた基材の顔料塗工層上に、二次転移温度が８０℃以上の熱可塑性重合体ラテックスからなる表面層を有する印刷用塗被紙であって、前記表面層が熱可塑性重合体ラテックスの二次転移温度以下でカレンダー処理されているものであることを特徴とする印刷用塗被紙。」（１ページ左下欄　２．特許請求の範囲） 
　 
（２）「顔料とそのバインダーからなる塗被層を有するコート紙は高級印刷用紙として用いられており、インク吸収性や塗被層強度等の印刷適正の外に塗被層表面の光沢が重要な要素である。ところで、光沢度を高めるために塗被層表面を加圧して平滑化すれば、必然的に塗被層の空隙が潰れインク吸収能が低下する。また、光沢度を高めるに顔料のバインダーとして使用される重合体ラテックス等の水溶性あるいは水分散性高分子物質を多量に使用すると、塗被層強度と光沢は向上するもののやはり塗被層の空隙が減少してインク吸収能力が低下するなど、光沢と印刷適正は相反する部分がある。 
　（中略） 
　本発明は、印刷適性が実用上十分であって、高光沢を有する印刷用塗被紙と、一定の品質を容易かつ安価に製造することができる印刷用塗被紙の製造方法の提供を課題とした。」（１ページ右下欄８行−２ページ左下欄２０行） 
　 
（３）「本発明において、高光沢と印刷適正を両立させるため用いる基材は、上記印刷用基材のうち、支持体の上に顔料塗工層を設けた基材でなければならない。支持体としては顔料塗工層が設けられるものであれば特に制限がないが、中質紙や上質紙などの非塗工紙が適当である。非塗工紙の上に顔料塗工層を設ける方法は、通常の顔料塗工紙の製造法で十分達せられるが、望まれる品質に応じて、塗料中の顔料、バインダーの種類、あるいは顔料とバインダーの量比を適宜変更して使用する。」（２ページ右下欄２０行−３ページ左上欄９行） 
　 
（４）「本発明において使用する熱可塑性重合体ラテックスは、熱可塑性性を示す重合体あるいは共重合体のエマルジョンであって、二次転移温度が８０℃以上のものである（以下、熱可塑性を示す重合体あるいは共重合体からなるエマルジョンを、単に重合体ラテックスとして使用する）。コア−シェル形のラテックスの場合は、シェル部分の二次転移温度が８０℃以上のものでなければならない。８０℃以上の二次転移温度になるものであれば重合体ラテックスを構成する単量体の種類や製造方法は問わない。好ましく使用される単量体としては、スチレン及びその誘導体、塩化ビニリデン、アクリル酸またはメタクリル酸エステルを例示することができる。 
　（中略） 
　このようにして得られた表面層用塗料を顔料塗工層の上に塗布して表面層とする。」（３ページ右上欄５行−右下欄７行） 
　 
（５）「本発明の印刷用塗被紙が、印刷適性が実用上十分であり、かつ高光沢である理由は明らかではないが、本発明によって得られた塗被紙の表面光沢層の電子顕微鏡での観察から次に様に推測される。 
　・・・、表面層は重合体ラテックスが溶融して連続した均一皮膜でなく、数十ナノメータの重合体ラテックス粒子が互いに緻密に配列して構造となっている。これは、本発明の重合体ラテックスの二次転移温度が８０℃以上と高いため、通常の乾燥条件下では互いに溶融することなく重合体粒子の形状を保持し、その後行なうカレンダー処理も、重合体ラテックスの二次転移点より低い温度で行なう結果、ラテックスの粒子は互いに溶融して連続皮膜とならずに粒子形状を残したまま定着していることを示している。そのため、重合体ラテックスの粒子間隙が多数存在し、印刷インクは、この空隙間に保持されるとともに、粒子間の毛細管を通過して下部の顔料塗工層に達し吸収されるものと考えられる。」（４ページ左上欄１８行−右上欄１８行） 
　 
　（６）「本発明にしたがって、基材に顔料塗工層を設け、その顔料塗工層の上に８０℃以上の二次転移温度を有する重合体ラテックスを塗布乾燥して表面層とした後、重合体ラテックスの二次転移点温度以下の温度で表面層をカレンダー処理する方法により製造すると、スーパーアート紙以上の高光沢紙が得られ、更に、インク吸収性、表面剥離強度、ミスドット率等の印刷適性も実用に十分であり、カレンダーロールへの付着もなく生産性良く製造することができる。」（７ページ左下欄１１−２０行） 
　 
　以上の記載事項によると、引用例１には次の発明（以下、「引用発明１」という。）が記載されていると認められる。 
　 
　「非塗工紙である支持体上に顔料とバインダーを含有する顔料塗工層を設けた基材の顔料塗工層上に、二次転移温度が８０℃以上の熱可塑性重合体ラテックスからなる表面層を有する印刷用塗被紙。」 
　 
　 
［引用例２について］ 
（１）「【請求項１】原紙の両面に有機顔料と接着剤を主成分とする表面処理剤を塗被、乾燥してなる米坪４５ｇ／ｍ2 以下のオフセット印刷用新聞用紙であって、紙表面と水との接触角が水滴を紙面に落とした後１秒後の値で９０度以上であることを特徴とするオフセット印刷用新聞用紙。 
【請求項２】表面処理剤にスチレン系モノマーを含む重合体が表面サイズ剤として含有せしめられる請求項１に記載のオフセット印刷用新聞用紙。 
【請求項３】スチレン系モノマーを含む重合体がスチレンとマレイン酸、マレイン酸エステル、アクリル酸およびアクリル酸エステルの中から選ばれる少なくとも１種類を含む共重合体である請求項２に記載のオフセット印刷用新聞用紙。」 
　 
（２）「【０００６】 
【発明が解決しようとする課題】本発明者等は軽量であって、高不透明性が維持され、かつ優れたオフセット印刷作業性と印刷品質を有する新聞用紙を得るべく鋭意研究を重ねた。その結果、本発明はオフセット印刷用新聞用紙の原紙表面に有機顔料と接着剤を主成分とする表面処理剤を塗被、乾燥してなるオフセット印刷用新聞用紙であって、かつ該新聞用紙の表面の接触角が特定値以上となるように仕上げることで、優れた印刷作業性およびカラー印刷品質を呈するオフセット印刷用新聞用紙を提供するものである。」 
　 
（３）「【０００９】本発明者らは、不透明度向上、ブランケットパイリング等の原因となる紙粉の解消、さらには網点再現性（印刷品質）の改善といった課題を効果的にバランスさせるために、表面処理剤の成分となる顔料や接着剤、助剤等について鋭意検討を重ねた。その結果、不透明性に優れる顔料としては、構造化カオリンや焼成カオリン等のカオリン類、無定形シリカ、ホワイトカーボン等のシリカ系顔料、プラスチックピグメント、バインダーピグメント等の有機顔料、あるいは二酸化チタン等が知られているが、そのうち特に有機顔料が他の無機顔料に比べて、不透明度が高く、かつブランケットパイリングを発生させ難く、さらには、網点再現性に優れていることが分かり、本発明を完成するに至った。 
【００１０】而して、本発明の特徴は、新聞用紙の紙面と水との接触角（紙面に水滴を落とした後１秒後の値）が９０度以上とした点である。 
　（中略） 
【００１１】そこで、紙層の吸水性抑制に関し、種々検討を行った。その結果、新聞用紙の紙面に水（水温２０℃）を滴下して１秒後における接触角が９０度以上（因みに、水に濡れやすい紙面ほど接触角が低く、濡れ難くなるにしたがい接触角は大きくなる）となるように調整された紙面特性を有する用紙を使用することで、紙層内部の微細繊維や内添填料等のしみ出しが軽減され、紙粉発生が大幅に抑制されると同時に、一方ではインキとの馴染みが改善され、インキ着肉性が良くなり、結果的に優れた網点再現性が得られることを見出した。」 
　 
（４）「【００１５】次いで、本発明において、表面処理剤の成分の１つである有機顔料について述べる。即ち、本発明で使用される有機顔料は、一般にスチレンやアクリル酸エステル、メタアクリル酸エステルなどの重合体または共重合体よりなり、ガラス転移点が９０℃以上の粒子として市販されている。また、有機顔料は通常の無機顔料に比較してコストが高く、かつ印刷強度が弱いために通常は塗被紙製造分野で使用されているカオリンや炭酸カルシウムなどの顔料に少量混ぜて使用されるのが一般的である。 
　（中略） 
【００１８】（中略）一方、有機顔料は他の無機顔料に比較して疎水性が強いため、紙面（層）と水との馴染みを低下させる（濡れ難くする）ことで吸水性を抑え、顔料や填料の水による浮き出しを抑制することが可能となり、紙粉の発生が軽減〜解消されるものと推定される。
　（中略） 
【００２０】表面処理剤中の有機顔料の比率としては特に限定されるものではないが、表面処理剤中の全接着剤に対し、固形分対比で４０〜４００重量％、より好ましくは５０〜３５０重量％の範囲が望ましい。因みに、４００重量％を越えると、紙粉発生の虞れがあり、他方４０重量％未満の場合には、本発明が所望とする不透明度やインキ着肉性の改善効果、さらにはブランケットパイリングの解消〜軽減効果が期待できなくなる虞れがある。 
　なお、本発明における重要な要件である接触角の規定、即ち、所要の方法で測定したときの接触角として９０°以上の値を得るには、表面処理剤として前記の有機顔料、接着剤に加えて、表面サイズ剤を添加することが好ましい。その場合の表面サイズ剤としては、オレフィン−マレイン酸共重合体、スチレン−アクリル酸−アクリル酸エステル共重合体、スチレン−マレイン酸エステル共重合体等の公知公用のものが使用される。なかでも、スチレン系モノマーを含む重合体が好ましく、さらに好ましくはスチレンとマレイン酸、マレイン酸エステル、アクリル酸およびアクリル酸エステルの中から選ばれる少なくとも１種類を含む共重合体が接触角をより高くできるので望ましい。 
【００２１】本発明で特定する接触角を得るには、上記した如き表面サイズ剤を接着剤に対して固形分比率で、１０〜１５０重量％、より好ましくは２０〜１００重量％の添加が望ましい。因みに、１０重量％未満の場合には本発明が所望とする高い接触角が得られ難く、紙粉発生に対する抑制効果が低くなる虞れがあり、他方、１５０重量％を越えると、表面強度が弱くなり、印刷時にピッキング等のトラブルを誘発する虞れがある。なお、表面処理剤中には、上述の有機顔料、接着剤および表面サイズ剤の他に、塗被紙の製造分野で一般に使用されている消泡剤、防腐剤、および増粘剤等の助剤が適宜添加される。 
【００２２】かくして調製された表面処理剤は固形分濃度を５〜３０重量％に調整され、オフセット印刷用新聞用紙の原紙上に塗布、乾燥される。」 
　 
（５）表１には、有機顔料と接着剤を主成分とする表面処理剤に表面サイズ剤を添加した実施例１では接触角が９０度以上であるのに対し、表面サイズ剤を無添加とした比較例１では、接触角が９０度より小さくなったことが示されている。 
　 
　以上の記載事項によると、引用例２には次の発明（以下、「引用発明２」という。）が記載されていると認められる。 
　 
　「原紙の両面に有機顔料と接着剤を主成分とする表面処理剤を塗被、乾燥してなるオフセット印刷用新聞用紙であって、前記有機顔料としてスチレンやアクリル酸エステル、メタアクリル酸エステルなどの重合体または共重合体よりなり、ガラス転移点が９０℃以上の粒子を用い、前記表面処理剤に、スチレンとマレイン酸、マレイン酸エステル、アクリル酸およびアクリル酸エステルの中から選ばれる少なくとも１種類を含む共重合体であるスチレン系モノマーを含む重合体が表面サイズ剤として含有せしめられるオフセット印刷用新聞用紙。」 
　 
　 
４　対比 
　本願発明と引用発明１とを対比すると、引用発明１における「非塗工紙である支持体」、「顔料塗工層」及び「表面層」は、それぞれ本願発明における「原紙」、「顔料塗工層」及び「表面層」に相当する。 
　そして、引用発明１における「二次転移温度」及び「熱可塑性重合体ラテックス」は、本願発明における「ガラス転移温度」及び「熱可塑性重合体」にそれぞれ対応することから、引用発明１における「表面層」と本願発明の「表面層」とは、「ガラス転移温度が８０℃以上の熱可塑性重合体」を有する限りにおいては一致する。 
　したがって、両者は 
　 
　「原紙上に顔料と接着剤を含有する塗工層を設けた顔料塗工層上に、ガラス転移温度が８０℃以上の熱可塑性重合体を有する表面層を設けた印刷用塗工紙。」 
　 
である点で一致し、以下の各点で相違する。 
　 
［相違点１］ 
　本願発明では、表面層が、スチレン・アクリル系、オレフィン系、またはスチレン・マレイン酸系の共重合体の少なくとも一つから選択された表面サイズ剤を有し、また、熱可塑性重合体と前記表面サイズ剤が表面層の固形分で７０〜１００重量％含有するのに対し、引用発明１では、表面層が、表面サイズ剤を有しておらず、また、熱可塑性重合体の表面層の固形分中の割合が不明である点。 
　 
［相違点２］ 
　本願発明では、原紙中に多価アルコールと脂肪酸のエステル化合物を含有するのに対し、引用発明１では、非塗工紙である支持体はそのような特定がなされていない点。 
　 
　 
５　判断 
　上記各相違点について検討する。 
　先ず、上記相違点２について検討する。 
　原査定における拒絶の理由に引用された、本願の優先日前に頒布された刊行物である特開２０００−３２８４８１号公報（以下、「引用例３」という。）には、顔料塗工層を有する塗工紙の印刷適性を向上させるために、該塗工紙のパルプ層に多価アルコールと脂肪酸のエステル化合物を含有させることが記載されていることから、引用発明１における「非塗被紙である支持体」に、多価アルコールと脂肪酸のエステル化合物を含有させ、上記相違点２に係る本願発明の構成とすることは、容易になし得たものといえる。 
　次に、上記相違点１について検討する。 
　引用発明１は、印刷用塗被紙に関し、顔料塗工層上に更に特定の熱可塑性重合体からなる表面層を設けたものであって、該表面層は、重合体ラテックスが溶融して連続した均一皮膜でなく、数十ナノメータの重合体ラテックス粒子が互いに緻密に配列し、前記重合体ラテックスの粒子間隙が多数存在した構造となっている。そして、引用例１には、「印刷インクはこの空隙間に保持されるとともに、前記粒子間の毛細管を通過して下部の顔料塗工層に達し吸収されるものと考えられる」（４ページ右上欄１４−１８行）とも記載されていることから、表面層の上記構造が顔料塗工層へのインキ吸収性を付与しているといえる。 
　一方、引用発明２は、オフセット印刷用新聞用紙に関し、新聞用紙表面と水との接触角を９０度以上として紙層の吸水性を抑制するために、表面処理剤に特定の表面サイズ剤を含有せしめたものである。また、一般に、表面サイズ剤とは、形成された紙層表面に塗布されるものであって、該紙層表層の空隙部分をふさぐことにより該表層を疎水化して水の浸透を抑制するものであること、及び、紙と水との接触角は紙表面の粗さの影響も受け、紙表面が平滑になるほど接触角が大きくなりぬれ難くなること（以上、例えば、室井宗一，「高分子ラテックスの応用紙塗工」，（株）高分子刊行会，１９８６年９月２０日，第１版第１刷，ｐ．１６−１９，３２参照。）から、引用発明２における表面処理剤に含有せしめた特定の表面サイズ剤は、新聞用紙表面の空隙部分をふさいで該表面を平滑にすることにより疎水化して水の浸透を抑制する作用を有しているといえる。 
　したがって、たとえ引用発明１における「表面層」と引用発明２における「表面処理剤」の層が、いずれも印刷時にインクが直接接触する最外層である点で共通するとしても、引用発明２において「表面処理剤」の層に含有されていた「表面サイズ剤」を、引用発明１における前記「表面処理剤」の層に対応する「顔料塗工層」の更に上に設けられた熱可塑性重合体ラテックスからなる「表面層」に含有させることを容易に想到し得たとする理由がなく、また、粒子間隙を多数存在させることによりインキ吸収性を付与するものである引用発明１における「表面層」に、用紙表面の空隙部分をふさぐことにより疎水性を付与するという相反する作用を有する引用発明２における「表面サイズ剤」を含有せしめることには、阻害要因も存在する。
　よって、引用発明１及び２より、上記相違点１に係る本願発明の構成を容易になし得たとすることはできない。 
　 
　 
６　むすび 
　したがって、本願発明は、引用例１〜３に記載された発明に基づいて当業者が容易に発明することができたものと認めることはできない。 
　また、他に本願を拒絶すべき理由を発見しない。 
　よって、結論のとおり審決する。